(57)【要約】【課題】オブジェクトを効率よく再確認させる。【解決手段】情報処理装置（１）は、所定の行数以下の投稿を特定する非表示候補判定部（１４２）と、過去に表示済みの投稿を特定する既読判定部（１４３）と、表示候補とした投稿に、所定の行数以下と特定されており、かつ表示済みと特定されている投稿が含まれる場合に、当該投稿を非表示とする表示制御部（１４４）と、を備えている。【選択図】図１
2014157580.tif 000002
【特許請求の範囲】
【請求項１】
複数のオブジェクトを表示装置に表示させる表示制御装置であって、
再表示の要否を判定するための判定条件に基づき、複数の上記オブジェクトのうち、再表示不要なオブジェクトを特定する非表示候補特定手段と、
複数の上記オブジェクトのうち、過去に表示済みのオブジェクトを特定する既表示特定手段と、
表示候補としたオブジェクトに、再表示不要と特定されており、かつ表示済みと特定されているオブジェクトが含まれている場合に、当該オブジェクトの少なくとも一部分を非表示とする表示制御手段と、を備えていることを特徴とする表示制御装置。
【請求項２】
再表示不要と特定されているオブジェクトの初回表示時に、該オブジェクトをマーキングして表示する識別表示手段を備えていることを特徴とする請求項１に記載の表示制御装置。
【請求項３】
上記表示制御手段は、オブジェクトの少なくとも一部分を非表示としたことによって生じたスペースに他のオブジェクトを表示させることを特徴とする請求項１または２に記載の表示制御装置。
【請求項４】
複数の上記オブジェクトのそれぞれは、メンバが書き込んだメッセージの内容を示すものであり、
上記オブジェクトの再表示は、リスト状に表示した複数の上記オブジェクトのうち、表示をスクロールさせることによって非表示となったオブジェクトを、再度のスクロールにて表示候補とすることによって行われることを特徴とする請求項１から３の何れか１項に記載の表示制御装置。
【請求項５】
複数の上記オブジェクトには、文字列で構成されるオブジェクトが含まれており、
上記判定条件は、文字の分量を示すパラメータの下限値を示すものであり、
上記非表示候補特定手段は、複数の上記オブジェクトのうち、当該オブジェクトに含まれる文字の分量を示すパラメータの値が上記下限値以下のオブジェクトを、再表示不要なオブジェクトと特定することを特徴とする請求項１から４の何れか１項に記載の表示制御装置。
【発明の詳細な説明】
【技術分野】
【０００１】
本発明は、複数のオブジェクトを表示させる際の表示制御に関する。
【背景技術】
【０００２】
従来から、複数のオブジェクトを表示してユーザに閲覧させることは広く行われている。例えば、ソーシャルネットワーキングサービス（ＳＮＳ）では、複数の投稿を個々のオブジェクトとして表示するユーザインターフェースが用いられている。また、複数のオブジェクトを効率よく閲覧させるための技術としては、例えば下記特許文献１が挙げられる。同文献には、アイコンやサムネイル画像を表示する際に、過去にユーザが着目したコンテンツに関連しないものが表示対象に含まれているか否かに応じて、表示をスクロールさせる速度を変化させることが記載されている。さらに、同文献には、過去にユーザが着目したコンテンツに関連しないアイコン等を非表示とすることが記載されている。
【先行技術文献】
【特許文献】
【０００３】
【特許文献１】特開２００８−１５７９７４号公報（２００８年７月１０日公開）
【発明の概要】
【発明が解決しようとする課題】
【０００４】
ところで、オブジェクトの中には、一度確認すれば十分なものもあり、再度の確認が必要になるものもある。しかしながら、従来は、オブジェクト毎に再表示の要否を判断することなく、一律に再表示を行っていたため、ユーザに効率よくオブジェクトを再確認させることができないという問題があった。また、特許文献１の技術によれば、過去にユーザが着目したコンテンツに関連するアイコン等を容易に見つけることが可能になる反面、過去にユーザが着目したコンテンツに関連しないアイコン等が、一度もユーザの目に触れないことになってしまう。したがって、特許文献１の技術では、ユーザに効率よくオブジェクトを再確認させることはできない。
【０００５】
本発明は、上記課題を解決するためになされたものであり、その目的は、オブジェクトを効率よく再確認させることのできる表示制御装置等を提供することにある。
【課題を解決するための手段】
【０００６】
上記の課題を解決するために、本発明の一態様に係る表示制御装置は、複数のオブジェクトを表示装置に表示させる表示制御装置であって、再表示の要否を判定するための判定条件に基づき、複数の上記オブジェクトのうち、再表示不要なオブジェクトを特定する非表示候補特定手段と、複数の上記オブジェクトのうち、過去に表示済みのオブジェクトを特定する既表示特定手段と、表示候補としたオブジェクトに、再表示不要と特定されており、かつ表示済みと特定されているオブジェクトが含まれている場合に、当該オブジェクトの少なくとも一部分を非表示とする表示制御手段と、を備えている。
【発明の効果】
【０００７】
本発明の一態様によれば、再表示不要と特定されており、かつ表示済みと特定されているオブジェクトの少なくとも一部分を非表示とするので、複数のオブジェクトのうち再表示の必要性の高いオブジェクトをユーザに容易に確認させることが可能になる。すなわち、オブジェクトを効率よく再確認させることができるという効果を奏する。
【図面の簡単な説明】
【０００８】
【図１】本発明の一実施形態に係る情報処理装置の要部構成を示すブロック図である。
【図２】上記情報処理装置が用いるコンテンツ管理テーブルの一例を示す図である。
【図３】上記情報処理装置の画面表示を説明する図である。
【図４】表示情報決定処理の一例を示すフローチャートである。
【図５】投稿の非表示を解除する方法の一例を示す図である。
【発明を実施するための形態】
【０００９】
本発明の一実施形態について、図１〜図５に基づいて説明すれば以下のとおりである。本発明に係る表示制御装置として、スマートフォンなどのように、タッチパネルを備える情報処理装置（表示制御装置）１を例に挙げて説明する。なお、本発明は、画像の表示の制御が可能な情報処理装置であれば適用することが可能であり、上記のようにタッチパネルを備える情報処理装置の他にも、例えば、別体の表示装置に画像を表示させるコンピュータなどの情報処理装置にも適用することが可能である。また、本実施形態では、情報処理装置１がＳＮＳの投稿を表示する例を説明する。ここで「投稿」とは、通信ネットワークを介してなされた電子的な投稿であり、ＳＮＳのメンバが１回の書き込み操作で書き込んだメッセージに基づいて生成され、他の投稿と識別可能に表示されるものである。
【００１０】
〔情報処理装置の概要〕
図１は、本実施形態に係る情報処理装置１の要部構成を示すブロック図である。図１に示すように、情報処理装置１は、操作部１１、表示部（表示装置）１２、記憶部１３、および制御部１４を備えている。これら各部の詳細については後述する。また、情報処理装置１は、図示しないが、外部の機器と通信するための通信部を備え、該通信部および通信ネットワークを介してＳＮＳの投稿のデータを取得する。
【００１１】
情報処理装置１の構成の詳細を説明する前に、情報処理装置１の画面表示について、図３を参照しながら説明する。図３の（ａ）は、投稿の表示レイアウトの一例を示している。図示のように、表示領域２１には、複数の投稿が、表示領域２１の長手方向に沿ってリスト状に配置されている。具体的には、表示領域２１の上端には、投稿２２が配置されており、その直下には別の投稿２３が配置されている。このように、投稿を上下方向に並べて表示することにより、上下方向のスクロール操作にて所望の投稿を表示させることができる。なお、以下では、スクロール操作によって表示対象となることをスクロールインと呼び、スクロール操作によって表示対象外となることをスクロールアウトと呼ぶ。また、投稿の配置の順序は、例えば投稿が行われた日時の順であってもよいし、他の順序であってもよい。
【００１２】
ここで、情報処理装置１が、投稿を表示させるユーザ操作（例えば、ＳＮＳのソフトウェアを起動させるアイコンをタッチする操作）を検出すると、図３の（ｂ）のような画像が表示される。図３の（ｂ）の例では、表示されている投稿の中に、再表示しない投稿を示す再表示対象外マーカー２４が付されているものがある。
【００１３】
次に、同図の（ｃ）に示すように、画像を上方向にスクロールさせたときには、画面の上端に表示されていた投稿から順にスクロールアウトし、代わりに画面の下端から投稿がスクロールインする。この例では、投稿２２がスクロールアウトし、画面下端に投稿２５がスクロールインしている。また、スクロールインした投稿２５には、再表示対象外マーカー２４が付されている。
【００１４】
次に、同図の（ｄ）に示すように、画像を下方向にスクロールさせたときには、画面の下端に表示されていた投稿から順にスクロールアウトし、代わりに画面の上端から投稿がスクロールインする。ここで、図示のように、投稿２３の直上には、投稿が非表示とされたことを示す表示省略マーカー２６が表示されており、その上には他の投稿２７が表示されている。つまり、再表示対象外マーカー２４が付されていた投稿２２は再表示されず、代わりに表示省略マーカー２６と他の投稿２７が表示されている。
【００１５】
このように、情報処理装置１は、一部の投稿に再表示対象外マーカー２４を付し、再表示対象外マーカー２４が付された投稿は再表示しない。詳細は後述するが、再表示対象外マーカー２４を付す対象となる投稿は、再表示の要否を判定するための判定条件に従って決定されるので、情報処理装置１によれば、再表示の必要性の低い投稿（ユーザが再確認する可能性の低い投稿）は再表示されない。よって、情報処理装置１によれば、複数の投稿の中から再確認したい投稿を見つけやすくなり、効率のよい閲覧が可能になる。
【００１６】
なお、図３の例では、再表示対象外マーカー２４にて再表示しない投稿を示しているが、再表示しない投稿と再表示する投稿とをユーザに識別させるための表示は、この例に限られない。例えば、図示の例と異なる形状のマーカーを図示の例と異なる位置に表示してもよいし、投稿の背景色を変える等のように、マーカーを用いない表示も可能である。また、図３の例では、表示省略マーカー２６にて非表示となった投稿の存在を示しているが、非表示となった投稿の存在をユーザが認識できる表示であれば、この例に限られない。
【００１７】
〔情報処理装置の構成の詳細〕
続いて、図１を参照して、情報処理装置１の要部構成の詳細について説明する。操作部１１は、ユーザが情報処理装置１を操作するための入力デバイスであり、表示部１２は、制御部１４の制御に従って画像を表示する表示デバイスである。本実施形態では、操作部１１と表示部１２とが一体となったタッチパネルである例を説明する。なお、操作部１１と表示部１２とは、個別のデバイスであってもよい。また、操作部１１および表示部１２の少なくとも一方が、情報処理装置１に接続された、情報処理装置１とは別体の装置であってもよい。記憶部１３は、情報処理装置１で使用する各種情報を記憶しておく記憶デバイスである。具体的には、記憶部１３は、コンテンツ管理情報格納部１３１を含む。
【００１８】
制御部１４は、情報処理装置１が備える各部を統括制御するものである。制御部１４は、操作判定部１４１、非表示候補判定部（非表示候補特定手段）１４２、既読判定部（既表示特定手段）１４３、および表示制御部（表示制御手段、識別表示手段）１４４を含んでいる。
【００１９】
操作判定部１４１は、操作部１１が受け付けた入力操作からユーザの行った操作を特定し、制御部１４の各部に対して該操作に応じた処理を実行させる。例えば、操作判定部１４１は、操作部１１の入力面に指等を接触させた状態でスライドさせる操作が行われたときに、該操作が表示をスクロールさせる操作であると特定し、表示制御部１４４にスクロール表示を行わせる。
【００２０】
非表示候補判定部１４２は、再表示の要否を判定するための判定条件に基づき、再表示不要な投稿を特定し、コンテンツ管理情報格納部１３１のコンテンツ管理情報に当該投稿が非表示候補情報であることを記録する。
【００２１】
上記判定条件は、表示対象となる投稿のうち、再表示の必要性が他の投稿と比べて低い投稿を特定可能な条件であればよい。ここでは、投稿を表示したときのテキストの行数の下限値を上記判定条件とする例を説明する。すなわち、表示されるテキストの行数が上記下限値以下の投稿を再表示不要な投稿と特定する例を説明する。行数の少ない投稿については、ユーザは一度見ただけで内容を把握できると考えられ、再表示の必要性が低いと考えられるためである。
【００２２】
具体的には、上記下限値は、ユーザがスクロール操作を行いながらでも、投稿に含まれるテキストの内容を確認できる程度の値に設定することが望ましい。例えば、情報処理装置１がスマートフォンである場合には、表示部１２の表示画面サイズをＨＤサイズ（1280×720）とし、スクロール操作の速度を500pixels/sec程度とすることが想定される。この場合、標準フォントサイズ（28pixels）で表示されたテキストデータの内容をユーザが確認できる行数は、２行程度であると考えられる。本実施形態では、この想定に基づき、下限値を２行とする例を説明する。上限値を２行とした場合、図３の（ｂ）から（ｄ）に示したように、２行以下の投稿については、再表示対象外マーカー２４を付して表示し、一度スクロールアウトされた後は再表示しない。なお、ＳＮＳの中には、タイトルやユーザ名を本文とは別の行に表示させるものもあるので、上記下限値を投稿本文の行数の下限値とし、タイトル等の行数を考慮しないようにしてもよい。
【００２３】
なお、上記判定条件は、再表示の必要性が他の投稿と比べて低い投稿を特定可能な条件であればよい。例えば、投稿中の文字の分量を示すパラメータとして文字数を用いてもよく、この場合、投稿に含まれるテキストの文字数の下限値を上記判定条件とすればよい。また、ウェブサイト等へのリンクを含む投稿は、一見したのみではリンク先の内容を確認することができないため、再表示の必要性が高いと考えられる。このため、上記判定条件を、リンクを含まない投稿であること、としてもよい。また、ＳＮＳには、画像を含む投稿については、一覧表示時には画像のサムネイルのみを表示し、一覧からその投稿が選択されたときに、上記サムネイルに対応する画像を表示するものもある。このような表示態様とした場合には、一見したのみでは画像の詳細を確認することができないため、画像を含む投稿は再表示の必要性が高いと考えられる。よって、上記判定条件を、画像を含まない投稿であること、としてもよい。また、リンクやサムネイルを含む投稿について、そのリンク先にアクセスされたこと、またはサムネイルに対応する画像が表示されたことを記憶しておき、上記判定条件を、リンク先にアクセス済みの投稿であること、または画像を表示済みの投稿であること、としてもよい。このような投稿は再表示の必要性が低いと考えられるためである。さらに、ＳＮＳには、投稿を「お気に入りに追加」することによって、他の投稿と区別して管理できるようにしているものもある。「お気に入りに追加」された投稿のように、他の投稿と区別して管理されている投稿は重要度が高く、再表示の必要性が高いと考えられるため、上記判定条件を、重要な投稿として管理されていないこと、としてもよい。また、ＳＮＳには、投稿に対して返信の投稿を行うことができるようにしたものがある。そして、投稿とその返信とを一度に確認することができるように、最初の投稿（返信の対象となった投稿）を詳細表示させたときに、返信の投稿についても併せて表示するものもある。このような表示を行う場合、返信の投稿については、返信の対象となった投稿の詳細表示によってその内容を確認することができるため、再表示の必要性が低いと考えられる。このため、上記判定条件を、返信の投稿であること、としてもよい。なお、他の投稿から内容を参照することのできる投稿であれば、返信の投稿でなくとも非表示としてもよい。つまり、この場合の上記判定条件は、他のオブジェクトから内容を参照することのできるオブジェクトを示すものであればよい。なお、判定条件は複数併用してもよく、例えば「テキストが２行以下である」という条件と「リンクが含まれていない」という条件とを併用し、テキストが２行以下であり、かつリンクが含まれていない投稿を再表示不要と特定してもよい。
【００２４】
既読判定部１４３は、表示済みの投稿を特定し、コンテンツ管理情報格納部１３１のコンテンツ管理情報に当該投稿が既読情報であることを記録する。
【００２５】
表示制御部１４４は、表示部１２に画像を表示させる制御を行う。具体的には、ＳＮＳの投稿を表示する場合、表示対象とする投稿を特定し、特定した投稿を含む画像を生成して、表示部１２に表示させる。ここで、表示制御部１４４は、表示対象と特定した投稿に、既読情報と設定され、かつ非表示候補情報に設定されている投稿が含まれている場合には、当該投稿を非表示とする。ただし、非表示としたことをユーザに認識させることが好ましいため、表示制御部１４４は、図３の（ｄ）に示すように、非表示とした投稿の代わりに表示省略マーカー２６を表示させる。なお、表示省略マーカー２６を表示させる処理は、表示制御部１４４から独立した処理ブロック（図示せず）が行うようにしてもよい。
【００２６】
〔コンテンツ管理情報の構成〕
続いて、図２を参照して、コンテンツ管理情報格納部１３１に格納されているコンテンツ管理情報について説明する。図２は、コンテンツ管理テーブルの一例を示す図である。なお、図２に示すデータ構造は一例であり、この例に限定されない。
【００２７】
「投稿ＩＤ」のカラムには、各投稿を一意に識別する投稿ＩＤが格納される。図２の投稿ＩＤは数字であるが、各投稿を一意に識別できる情報であればよい。また、「非表示候補判定」のカラムは、非表示候補判定部１４２によって、再表示不要な投稿である非表示候補情報に設定された投稿を示す。図示の例では、「○」の印にて非表示候補情報である投稿を示している。そして、「既読判定」のカラムは、既読判定部１４３によって、表示済みの投稿である既読情報に設定された投稿を示す。図示の例では、「○」の印にて既読情報である投稿を示している。なお、コンテンツ管理情報は、表示済みの投稿および再表示不要と判定された投稿を特定できるようになっていればよく、この例に限られない。
【００２８】
〔表示情報決定処理の流れ〕
続いて、情報処理装置１が実行する表示情報決定処理（表示制御方法）の流れの一例について、図４を参照して説明する。なお、図４は、表示部１２に投稿が表示されている状態でスクロール操作が行われたときの処理を示している。
【００２９】
操作部１１に対してスクロール操作（この例ではドラッグ操作）が行われると、該操作を示す信号が制御部１４に出力され、操作判定部１４１はスクロール操作を検出する（Ｓ１０１）。そして、操作判定部１４１は、スクロール操作が行われたことを、何れの方向にどれだけスクロールさせるかを示す情報と共に表示制御部１４４に通知する。
【００３０】
次に、表示制御部１４４は、操作判定部１４１から通知された上記情報に基づき、新たに表示対象とする投稿（スクロールインさせる投稿）と、非表示とする投稿（スクロールアウトさせる投稿）とを特定する。そして、スクロールインさせる投稿が非表示候補情報かつ既読情報に設定されているかを判定する（Ｓ１０３）。具体的には、表示制御部１４４は、コンテンツ管理情報格納部１３１を参照して、「非表示候補判定」および「既読判定」に「○」が設定されているか否かを確認することによって上記の判定を行う。
【００３１】
ここで、スクロールインさせる投稿が非表示候補情報かつ既読情報に設定されている場合（Ｓ１０３でＹＥＳ）、当該投稿の表示を省略する（Ｓ１０９、表示制御ステップ）。具体的には、当該投稿を非表示とし、当該投稿の代わりに表示省略マーカー２６を表示すると共に、次の表示順の投稿を表示対象とする。なお、次の表示順の投稿についても、非表示候補情報に設定されており、かつ既読情報に設定されている場合には、その投稿の表示を省略し、さらに次の表示順の投稿を表示対象とする。表示制御部１４４は、このような処理を繰り返すことにより、最終的にスクロールインさせる投稿を決定し、この決定に基づいて表示部１２に表示させる画像を更新する。
【００３２】
一方、スクロールインさせる投稿が非表示候補情報に設定されているという条件、および既読情報に設定されているという条件の少なくとも一方を満たさない場合（Ｓ１０３でＮＯ）、表示制御部１４４は、当該投稿を特定する情報（例えば投稿ＩＤ）と共に、その旨を非表示候補判定部１４２に通知する。そして、非表示候補判定部１４２は、通知された投稿が所定の判定条件を満たすか否か判定する（Ｓ１０５）。具体的には、非表示候補判定部１４２は、当該投稿を表示させたときに、その文字列が２行以下となる、という条件を満たすか否かを判定する。
【００３３】
ここで、スクロールインさせる投稿が所定の判定条件を満たす場合（Ｓ１０５でＹＥＳ）、非表示候補判定部１４２は、当該投稿を非表示候補情報に設定すると共に、当該投稿へのマーキングを行うように表示制御部１４４に指示する（Ｓ１０７、非表示候補特定ステップ）。そして、表示制御部１４４は、スクロールインさせる投稿を表示する（Ｓ１１１）。具体的には、非表示候補判定部１４２は、コンテンツ管理情報格納部１３１のコンテンツ管理情報に、当該投稿が非表示候補情報である旨を書き込む。また、表示制御部１４４は、スクロールインさせる投稿のうち、非表示候補判定部１４２から指示された投稿に再表示対象外マーカー２４を付した画像を表示部１２に表示させる。一方、スクロールインさせる投稿が所定の条件を満たさない場合（Ｓ１０５でＮＯ）、非表示候補判定部１４２から表示制御部１４４へのマーキングの指示が送信されない。このため、表示制御部１４４は、当該投稿を、再表示対象外マーカー２４を付さずに表示させる（Ｓ１１１）。
【００３４】
また、表示制御部１４４は、スクロールアウトさせる投稿を既読判定部１４３に通知し、既読判定部１４３は、通知された投稿を既読情報に設定する（Ｓ１１３、既表示特定ステップ）。具体的には、既読判定部１４３は、コンテンツ管理情報格納部１３１のコンテンツ管理情報に、当該投稿が既読情報である旨を書き込む。
【００３５】
また、操作判定部１４１は、スクロール操作の終了有無を監視している（Ｓ１１５）。そして、操作判定部１４１は、スクロール操作が終了したと判断したときに（Ｓ１１５でＹＥＳ）、その旨を表示制御部１４４に通知し、これにより表示制御部１４４は表示部１２に表示させる画像の更新を終了し、表示情報決定処理は終了する。一方、スクロール操作が継続している場合（Ｓ１１５でＮＯ）、次にスクロールインさせる投稿、および次にスクロールアウトさせる投稿について、Ｓ１０３以降の処理を行う。
【００３６】
なお、上記では、スクロール時に投稿を非表示とする例を説明したが、非表示の制御は投稿の２度目以降の表示時に行うことが可能であり、スクロール時以外に非表示の制御を行ってもよい。例えば、ＳＮＳのウェブサイトにアクセスして表示対象の投稿を特定したときに、該投稿のうち、非表示候補情報に設定されており、かつ既読情報に設定されている投稿を非表示とし、他の投稿を最終的な表示対象と特定して表示してもよい。また、例えば、投稿を表示しているときに表示対象を他の画面に切り替え、その後投稿の表示に戻したときに、切り替え前に表示していた投稿のうち、非表示候補情報に設定されている投稿を非表示にしてもよい。
【００３７】
〔非表示の解除〕
次に、投稿の非表示の解除について、図５を参照して説明する。非表示の解除により、非表示とされた投稿の内容の閲覧が再び可能になる。図５は、非表示を解除する方法の一例を示す図である。図５の（ａ）の例では、非表示解除ボタン２８を表示させている。この表示状態において、操作判定部１４１は、非表示解除ボタン２８に対する操作を検出すると、非表示解除の指示があった旨を既読判定部１４３に通知する。そして、この通知を受信した既読判定部１４３は、コンテンツ管理情報格納部１３１のコンテンツ管理情報におけるすべての既読情報の設定を解除し、表示制御部１４４に表示の更新を指示する。また、既読判定部１４３は、非表示解除ボタン２８が再度操作されるまでの間、既読情報の設定が解除された状態を維持する（既読情報の設定処理を行わない）。
【００３８】
既読情報の設定を解除したことにより、非表示解除ボタン２８が再度操作されるまでの間、すべての投稿が表示対象となる（図４のＳ１０３でＹＥＳと判定される）。これにより、図５の（ｂ）に示すように、表示省略マーカー２６が投稿２２に置き換わる。なお、非表示候補情報の設定は変更していないので、再表示対象外マーカー２４は表示される。また、非表示の解除がなされた場合には、非表示が解除されていることをユーザに認識させるために、非表示解除ボタン２８の色を変更する等の表示を行ってもよい。
【００３９】
なお、表示解除の方法は、上記の例に限られず、例えば投稿ごとに非表示の解除が行えるようにしてもよい。具体的には、表示省略マーカー２６に対して所定の操作（例えばダブルタップ操作またはロングタップ操作など）が行われたことをトリガとして、当該表示省略マーカー２６の代わりに当該表示省略マーカー２６に対応する投稿を表示させてもよい。また、非表示が解除されることによって表示された投稿に対して所定の操作が行われたことをトリガとして、その投稿を表示省略マーカー２６に戻してもよい。
【００４０】
〔実施形態２〕
ＳＮＳ等においては、投稿が随時追加されてゆくので、新たな投稿が行われたときに、その投稿を表示させ、代わりに他の投稿（例えば投稿された時刻が最も古い投稿）をスクロールアウトさせる処理を自動的に行ってもよい。ただし、自動的にスクロールアウトした投稿は、ユーザが内容を確認していない可能性があるため、このような投稿については非表示の対象から外すようにしてもよい。これは、例えば、ユーザ操作によらずにスクロールアウトした投稿を既読情報に設定しないようにすることにより実現可能である。また、表示されていた時間があまりに短い投稿は、ユーザが内容を確認していない可能性が高いため、一定時間以上表示されていた投稿を既表示情報に設定してもよい。
【００４１】
そして、上記の例では、スクロール時に非表示候補情報および既読情報の設定を行っているが、これらの情報を設定するタイミングは、スクロール時よりも前であってもよい。例えば、表示候補となる投稿を取得したときに非表示候補情報の設定を行い、投稿を表示したときに既読情報の設定を行ってもよい。この場合、スクロールがなされる前の時点で非表示とする投稿を表示省略マーカー２６に置き換えた画像を用意しておくことができるので、用意した画像のうち表示させる範囲をスクロールに応じてずらしてゆくことにより、スムーズなスクロール表示が可能になる。
【００４２】
また、上記では、１つの投稿の全体を非表示とする例を示したが、一行目のみ、あるいは先頭の数文字のみを表示する等、１つの投稿の一部分を非表示としてもよい。また、上記の例では、投稿を非表示としたことによって生じたスペースに他の投稿をスクロールインさせて表示しているが、スペースを空けておいてもよい。この場合、一画面に表示される情報量を減らすことができるので、表示されている投稿を精査しやすい。
【００４３】
そして、上記では、ＳＮＳの投稿を表示させる例を説明したが、情報処理装置１が表示の対象とするオブジェクトはこれに限られない。例えば、チャット等でやり取りされる電子的なメッセージを上記オブジェクトとして表示してもよいし、画像を上記オブジェクトとして表示してもよい。
【００４４】
〔実施形態３〕
情報処理装置１の制御ブロック（特に操作判定部１４１、非表示候補判定部１４２、既読判定部１４３、および表示制御部１４４）は、集積回路（ＩＣチップ）等に形成された論理回路（ハードウェア）によって実現してもよいし、ＣＰＵ（Central Processing Unit）を用いてソフトウェアによって実現してもよい。
【００４５】
後者の場合、情報処理装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４６】
〔まとめ〕
本発明の態様１に係る表示制御装置（情報処理装置１）は、再表示の要否を判定するための判定条件に基づき、複数のオブジェクトのうち、再表示不要なオブジェクトを特定する非表示候補特定手段（非表示候補判定部１４２）と、複数の上記オブジェクトのうち、過去に表示済みのオブジェクトを特定する既表示特定手段（既読判定部１４３）と、表示候補としたオブジェクトに、再表示不要と特定されており、かつ表示済みと特定されているオブジェクトが含まれている場合に、当該オブジェクトの少なくとも一部分を非表示とする表示制御手段（表示制御部１４４）と、を備えている。また、本発明の表示制御方法は、複数のオブジェクトを表示装置に表示させる表示制御装置による表示制御方法であって、再表示の要否を判定するための判定条件に基づき、複数の上記オブジェクトのうち、再表示不要なオブジェクトを特定する非表示候補特定ステップと、複数の上記オブジェクトのうち、過去に表示済みのオブジェクトを特定する既表示特定ステップと、表示候補としたオブジェクトに、再表示不要と特定されており、かつ表示済みと特定されているオブジェクトが含まれている場合に、当該オブジェクトの少なくとも一部分を非表示とする表示制御ステップと、を含む。上記の構成によれば、再表示不要と特定されており、かつ表示済みと特定されているオブジェクトの少なくとも一部分を非表示とするので、複数のオブジェクトのうち再表示の必要性の高いオブジェクトをユーザに容易に確認させることが可能になる。よって、オブジェクトを効率よく再確認させることができる。
【００４７】
また、本発明の態様２に係る表示制御装置は、上記態様１において、再表示不要と特定されているオブジェクトの初回表示時に、該オブジェクトをマーキングして表示する識別表示手段を備えていることを特徴としている。上記の構成によれば、再表示不要と特定されているオブジェクトの初回表示時に、該オブジェクトをマーキングして表示する。これにより、表示しているオブジェクトのうち、再表示しないオブジェクトをユーザに認識させることができるので、オブジェクトが非表示となることによりユーザが混乱することを防ぐことができる。また、再表示しないオブジェクトを十分に確認するようにユーザに促し、オブジェクトを効率よく確認させることもできる。
【００４８】
また、本発明の態様３に係る表示制御装置は、上記態様１または２において、上記表示制御手段は、オブジェクトの少なくとも一部分を非表示としたことによって生じたスペースに他のオブジェクトを表示させることを特徴としている。上記の構成によれば、オブジェクトの少なくとも一部分を非表示としたことによって生じたスペースに他のオブジェクトを表示させる。よって、過去に表示されていないオブジェクトや、再表示の必要性が高いオブジェクトをユーザに一目で確認させることが可能になる。
【００４９】
また、本発明の態様４に係る表示制御装置は、上記態様１から３の何れかにおいて、複数の上記オブジェクトのそれぞれは、メンバが書き込んだメッセージの内容を示すものであり、上記オブジェクトの再表示は、リスト状に表示した複数の上記オブジェクトのうち、表示をスクロールさせることによって非表示となったオブジェクトを、再度のスクロールにて表示候補とすることによって行われることを特徴としている。上記の構成によれば、複数の上記オブジェクトのそれぞれは、メンバが書き込んだメッセージの内容を示すものである。そして、オブジェクトの再表示は、リスト状に表示した複数の上記オブジェクトのうち、表示をスクロールさせることによって非表示となったオブジェクトを、再度のスクロールにて表示候補とすることによって行われる。したがって、ユーザは、メッセージの内容をスクロール操作によって確認することができる。そして、全体の内容をざっと確認した後、スクロール操作にてオブジェクトを再表示させることにより、再表示の必要性の高いオブジェクトのみを効率よく再確認することができる。
【００５０】
また、本発明の態様５に係る表示制御装置は、上記態様１から４の何れかにおいて、複数の上記オブジェクトには、文字列で構成されるオブジェクトが含まれており、上記判定条件は、文字の分量を示すパラメータの下限値を示すものであり、上記非表示候補特定手段は、複数の上記オブジェクトのうち、当該オブジェクトに含まれる文字の分量を示すパラメータの値が上記下限値以下のオブジェクトを、再表示不要なオブジェクトと特定することを特徴としている。上記の構成によれば、文字の分量を示すパラメータの値が下限値以下のオブジェクトを再表示不要なオブジェクトと特定する。つまり、上記の構成によれば、文字の分量が比較的少なく、一度の表示でユーザが内容を把握できると考えられるオブジェクトは再表示せず、文字の分量が比較的多く、ユーザが再確認する可能性が高いと考えられるオブジェクトを再表示する。これにより、ユーザが再確認したいオブジェクトを効率よく閲覧させることができる。なお、文字の分量を示すパラメータは、文字の分量を示すものであればよく、例えば文字数であってもよいし、文字の行数であってもよい。
【００５１】
また、本発明の態様６に係る表示制御装置は、上記態様１から５の何れかにおいて、上記判定条件は、他のオブジェクトから内容を参照することのできるオブジェクトを示すものであり、上記非表示候補特定手段は、他のオブジェクトから内容を参照することのできるオブジェクトを再表示不要なオブジェクトと特定することを特徴としている。ここで、他のオブジェクトから内容を参照することのできるオブジェクトは、それ自体を表示せずとも他のオブジェクトから内容を参照できるのであるから、再表示の必要性は低いと考えられる。そこで、上記の構成によれば、他のオブジェクトから内容を参照することのできるオブジェクトを再表示不要なオブジェクトと特定する。これにより、オブジェクトを非表示にして効率的な閲覧を可能にすることができると共に、非表示としたオブジェクトの内容を参照することも可能にすることができる。
【００５２】
本発明の各態様に係る表示制御装置は、コンピュータによって実現してもよく、コンピュータを上記表示制御装置が備える各手段として動作させることにより上記表示制御装置をコンピュータにて実現させる表示制御装置の制御プログラム、およびそれを記録したコンピュータ読み取り可能な記録媒体も、本発明の範疇に入る。そして、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５３】
本発明は、例えばスマートフォン、タブレット端末、ＰＤＡ（Personal Digital Assistant）、携帯電話、ＰＣ、テレビ等、オブジェクトを表示する装置に好適に適用できる。
【符号の説明】
【００５４】
１  情報処理装置（表示制御装置）
１２  表示部（表示装置）
１４２  非表示候補判定部（非表示候補特定手段）
１４３  既読判定部（既表示特定手段）
１４４  表示制御部（表示制御手段、識別表示手段）
【図１】
2014157580.tif 000003
【図２】
2014157580.tif 000004
【図３】
2014157580.tif 000005
【図４】
2014157580.tif 000006
【図５】
2014157580.tif 000007